(57)【要約】【課題】表示パネルの角度変更機構を駆動する電動機構を省略しても、操作性の低下をできる限り抑える。【解決手段】表示パネル２０を閉角度から中間角度を経て開角度までの間で角度変更させるためのスコットラッセル機構３１と、このスコットラッセル機構３１のスライド板３２を閉角度位置から中間角度位置の方向に付勢するコイルバネ５５と、スライド板３２が開角度位置から前方の中間角度位置側へスライドせぬよう、スライド板３２を開角度位置に拘束しておくプッシュロック機構４０とを備えている。このプッシュロック機構４０は、スライド板３２が中間角度位置から後退して閉角度位置になる過程で、スライド板３２を拘束し、スライド板３２を閉角度位置から僅かに後退させると、スライド板３０の拘束を解除する。【選択図】　図１
2004101832.tif 000002
【特許請求の範囲】
【請求項１】
表示パネルと、該表示パネルを第１角度と第２角度との間で角度変位させる角度変更機構と、を備えている表示装置において、
前記角度変更機構は、
前記表示パネルの一部に一方の端部がピン固定されているスライド部材、及び該表示パネルの他の一部に一方の端部がピン固定されているアーム部材を有し、該スライド部材のスライドにより該アーム部材が揺動して、該表示パネルを前記第１角度と前記第２角度との間で角度変位させるスコットラッセル機構と、
前記表示パネルが前記第１角度の際の前記スライド部材の位置（以下、第１位置とする）から、前記表示パネルが前記第２角度の際の前記スライド部材の位置（以下、第２位置とする）へ、該スライド部材を付勢する付勢部材と、
前記スライド部材が前記第２位置の側へスライドせぬよう、該スライド部材を第１位置に拘束しておくロック機構と、
を備え、
前記ロック機構は、前記スライド部材が前記第２位置から前記第１位置になる過程で、該スライド部材を拘束し、該スライド部材が該第１位置から該第２位置と反対方向へ僅かにスライドさせられると、該スライド部材の拘束を解除するプッシュロック機構である、
ことを特徴とする表示装置。
【請求項２】
請求項１に記載の表示装置において、
前記第１位置から前記第２位置への、前記付勢部材による前記スライド部材の移動の速度を緩和させる緩衝機構を備えている、
ことを特徴とする表示装置。
【請求項３】
請求項１及び２のいずれか一項に記載の表示装置において、
前記スコットラッセル機構は、前記第２角度を基準として前記第１角度側と反対側の第３角度まで、前記表示パネルを角度変位させることができる、
ことを特徴とする表示装置。
【請求項４】
請求項３に記載の表示装置において、
前記スライド部材が前記第１位置から前記第２位置に至ると、該スライド部材の一部に係合して、該スライド部材を該第２位置に保持し、該スライド部材に対してスライド方向の一定の荷重がかかると、該第２位置での保持が解除される第２角度保持手段を備えている、
ことを特徴とする表示装置。
【請求項５】
請求項３及び４のいずれか一項に記載の表示装置において、
第１記憶媒体を再生する第１再生装置と、
前記第１再生装置への前記第１記憶媒体の出し入れ頻度よりも出し入れ頻度が低いと想定される第２記憶媒体を再生する第２再生装置と、
前記第１再生装置及び前記第２再生装置を収納する筐体と、
を備え、
前記筐体の一壁面には、前記第１再生装置への前記第１記憶媒体の出入口及び前記第２再生装置への前記第２記憶媒体の出入口とが形成され、
前記第１角度では、前記表示パネルが前記第１記憶媒体の出入口及び前記第２記憶媒体の出入口を塞ぎ、前記第２角度では、外部から該第１記憶媒体の出入口に該第１記憶媒体を出し入れでき、且つ該表示パネルが該第２記憶媒体の出入口を塞ぎ、前記第３角度では、該表示パネルが該第１記憶媒体の出入口及び該第２記憶媒体の出入口を開放し、外部から該第１記憶媒体及び該第２記憶媒体を出し入れできる、
ことを特徴とする表示装置。
【発明の詳細な説明】
【０００１】
【発明の属する技術分野】
本発明は、表示パネルと、この表示パネルの角度を変える角度変更機構とを備えている表示装置に関する。
【０００２】
【従来の技術】
従来の表示装置としては、例えば、以下の特許文献１に記載されているものがある。
【０００３】
この特許文献１に記載されている表示装置は、表示パネルと、記憶媒体の再生装置や制御回路等が設けられている筐体と、表示パネルの角度を変えるためのスコットラッセル機構と、このスコットラッセル機構を駆動させる電動機構と、を備えている。表示パネルは、スコットラッセル機構により、筐体の記憶媒体挿入口を塞ぎ且つ操作者が画面を見ることができる閉位置と、この閉位置から９０°変位して筐体の記憶媒体挿入口を開放する開位置との間で、開閉動作する。
【０００４】
電動機構は、筐体内に収められており、スコットラッセル機構の一構成要素であるアームを駆動するためのリンク機構と、このリンク機構を駆動するための複数の歯車と、この歯車を回転させるためのモータと、このモータの駆動回路と、この駆動回路に対して駆動指示を与えるための操作ボタンと、を有している。
【０００５】
【特許文献１】
特開２０００−３３９９４４号（図２）
【０００６】
【発明が解決しようとする課題】
以上の従来技術では、操作ボタンを操作するだけで、表示パネルの角度を変位させることができるという利点があるものの、電動機構を備えているため、筐体内のスペースが狭まってしまう上に製造コストも嵩んでしまうという問題点がある。
【０００７】
本発明は、このような従来の問題点に着目し、電動機構を削除して、筐体内のスペースを有効利用及び製造コストの低減を図る一方で、電動機構の削除に伴う操作性の低下をできる限り抑えることができる表示装置を提供することを目的とする。
【０００８】
【課題を解決するための手段】
前記目的を達成するための表示装置は、
表示パネルと、該表示パネルを第１角度と第２角度との間で角度変位させる角度変更機構と、を備え、
前記角度変更機構は、
前記表示パネルの一部に一方の端部がピン固定されているスライド部材、及び該表示パネルの他の一部に一方の端部がピン固定されているアーム部材を有し、該スライド部材のスライドにより該アーム部材が揺動して、該表示パネルを前記第１角度と前記第２角度との間で角度変位させるスコットラッセル機構と、
前記表示パネルが前記第１角度の際の前記スライド部材の位置（以下、第１位置とする）から、前記表示パネルが前記第２角度の際の前記スライド部材の位置（以下、第２位置とする）へ、該スライド部材を付勢する付勢部材と、
前記スライド部材が前記第２位置の側へスライドせぬよう、該スライド部材を第１位置に拘束しておくロック機構と、
を有し、
前記ロック機構は、前記スライド部材が前記第２位置から前記第１位置になる過程で、該スライド部材を拘束し、該スライド部材が該第１位置から該第２位置と反対方向へ僅かにスライドさせられると、該スライド部材の拘束を解除するプッシュロック機構である、ことを特徴とするものである。
【０００９】
【発明の実施の形態】
以下、本発明に係る表示装置の一実施形態について、図面を用いて説明する。
【００１０】
本実施形態の表示装置は、車両搭載用の表示装置で、図１に示すように、記憶媒体の再生装置や制御回路等が収納される筐体１０と、表示パネル２０と、この表示パネル２０の角度を変えるための角度変更機構３０と、を備えている。筐体１０内には、再生装置として、音楽情報等が記憶されているＣＤ（第１記憶媒体）を再生するＣＤ再生装置（第１再生装置）と、地図情報等が記憶されているＤＶＤ（第２記憶媒体）を再生するＤＶＤ再生装置（第２再生装置）とが設けられている。
【００１１】
筐体１０は、直方体形状を成し、その正面を形成する正面壁１１には、ＣＤ出入口１２と、ＤＶＤ出入口１３（図９に示す）とが形成されている。なお、以下の説明の都合上、筐体１０の背面壁１４に対して正面壁１１側を前方、反対方向を後方とする。
【００１２】
表示パネル２０は、角度変更機構３０により、表示パネル２０の背面２４が筐体１０の正面壁１１に対向してＣＤ出入口１２及びＤＶＤ出入口１３を塞ぐ閉角度（図２〜図４に示す）から、表示パネル２０がＤＶＤ出入口１３を塞ぐ一方でＣＤ出入口１２を開放する中間角度（図５〜図７に示す）を経て、表示パネル２０の表示面２１が筐体１０の正面壁１１に対して直角になってＣＤ出入口１２及びＤＶＤ出入口１３を開放する開角度（図８〜図１０に示す）迄の間で、角度変位する。
【００１３】
角度変更機構３０は、図１、図５、図７に示すように、スライド板（スライド部材）３２、揺動アーム（アーム部材）３９及び支持アーム３８を有して構成されるスコットラッセル機構３１と、このスコットラッセル機構３１のスライド板３２を前方に付勢する付勢機構５０と、スライド板３２を付勢機構５０による付勢力に抗して所定の位置に拘束するプッシュロック機構４０と、この付勢機構５０によるスライド板３２の移動速度を規制する緩衝機構５６と、表示パネル２０を中間角度で一時的に保持する中間角度保持機構６０と、を備えている。
【００１４】
スコットラッセル機構３１のスライド板３２の横幅は、筐体１０内に収まるよう、筐体１０の横幅より僅かに短い。スライド板３２は、筐体１０の底板と平行に配されるスライド板本体３３と、スライド板本体３３の両端部に形成されているスライドアーム部３６と、を有している。スライド板本体３３には、前後方向に伸びたガイド孔３４が形成されており、そこにガイドピン３５が挿通されている。このガイドピン３５は、筐体１０の底面壁１５に固定されている。スライド板３２は、このガイドピン３５にガイドされて、前後方向にスライドする。スライドアーム部３６の前端部３７は、スライド板本体３３の前端部よりも前方に伸びており、そこに、表示パネル２０の側面下部がピン接合されている。スコットラッセル機構３１の支持アーム３８は、筐体１０の側壁に取り付けられ、その前端部に揺動アーム３９がピン接合されている。この揺動アーム３９の前端部には、表示パネル２０の側面中央部がピン接合されている。
【００１５】
図２に示すように、表示パネル２０が閉角度の際には、スコットラッセル機構３１のスライド板３２は、筐体１０の奥に押し込まれている閉角度位置に位置しており、揺動アーム３９の前端部は、上向きである。この状態から、スライド板３２が前方にスライドすると、図５に示すように、スライド板３２のスライドアーム部３６にピン接合されている表示パネル２０の下端部も前方に移動する一方で、表示パネル２０の中央部が揺動アーム３９により前方移動が規制されるため、表示パネル２０は、その下端部が前に出て、その上端部が後方に残る状態で傾斜し、前述の中間角度になる。
【００１６】
スコットラッセル機構３１のスライド板３２が、図５の位置（中間角度位置）からさらに前方にスライドすると、表示パネル２０の傾斜はより大きくなり、表示パネル２０は、最終的に、図８に示すように、表示パネル２０の表示面２１が筐体１０の天面壁１６と平行になり、前述の開角度になる。
【００１７】
スコットラッセル機構３１のスライド板３２を前方に付勢する付勢機構５０は、図１及び図５に示すように、スライド板本体３３の固定されているバネ掛けピン５１と、前後方向に伸びたガイド孔５３が形成されているガイド板５２と、一方の端部がバネ掛けピンに取り付けられ他方の端部がガイド板の前端５４に取り付けられているコイルバネ（付勢部材）５５と、を有している。このコイルバネ５５は、スライド板３２が閉角度位置の際には、伸びており、スライド板３２を閉角度位置から中間角度位置の方向に付勢している。
【００１８】
緩衝機構５６は、図１及び図５に示すように、筐体１０の底面壁１５に固定されているラック５７と、スライド板本体３３に固定されているダンパ５８と、を有している。ラック５７の歯列は、前後方向に伸びている。ダンパ５８は、このラックに係合するギヤ５９と、このギヤ５９を回転可能に収納すると共に粘性流体を収納するギヤケースと、を有している。スライド板３２が付勢機構５０による付勢力で前方にスライドする際、筐体１０に固定されているラック５７に対してスライド板３２が相対移動することで、このスライド板３２に取り付けられているダンパ５８のギヤ５９が粘性流体から抵抗を受けつつ回転する。この粘性流体からの抵抗が、付勢機構５０による付勢力に抗する力として働き、スライド板３２の移動速度を一定速度以下に規制する。
【００１９】
中間角度保持機構６０は、図７及び図１１に示すように、筐体１０の底面壁１５に取り付けられている板バネ６１と、スライド板本体３３に形成されている板バネ係合孔６３と、を有している。板バネ６１は、一部屈曲しており、ここがスライド板本体３３の板バネ係合孔６３に嵌まり込む係合部６２を形成している。板バネ係合孔６３は、スライド板３２が中間角度位置に位置しているときに、筐体１０に取り付けられている板バネ６１の係合部６２が嵌まり込める位置に形成されている。板バネ６１の係合部６２がスライド板３２の板バネ係合孔６３に嵌り込んでスライド板３２をその位置で保持する力は、付勢機構５０の付勢力でスライドしてきたスライド板３２を停止させ、その状態を維持できれば十分であるので、比較的小さい力である。このため、中間角度に保持されている表示パネル２０を手動で操作して動かし、中間角度位置に保持されているスライド板３２を前方又は後方に軽くスライドさせれば、この中間角度位置における保持が簡単に解除される。
【００２０】
プッシュロック機構４０は、スライド板本体３３に固定されているロック用ピン４１と、このロック用ピン４１をフックするフック部材４２と、このフック部材４２の揺動軸４６と、ロック用ピン４１をフックする方向にフック部材４２を付勢する捻りバネ４７と、を有している。フック部材４２は、図１２に示すように、ロック用ピン４１をフックするフック部４４と、ロック用ピン４１をフック部４４に導くガイド部４３と、ロック用ピン４１をフック部４４から解放する解放部４５と、を有している。
【００２１】
フック部材４２は、ロック用ピン４１と接していないときには、図１２（ａ）に示すように、ガイド部４３の開始点がロック用ピン４１と対向している非ロック位置に位置している。この状態で、スライド板が後退してきて、スライド板に固定されているロック用ピン４１がフック部材４２のガイド部４３の開始点に接触すると、同図（ｂ），（ｃ）に示すように、ロック用ピン４１の後退に伴って、フック部材４２が捻りバネ４７による付勢力に抗して、退避位置（同図（ｃ）の位置）まで回動し、ロック用ピン４１はガイド部４３の終点に接するようになる。ロック用ピン４１がさらに後退して、フック部材４２がさらに回動すると、同図（ｄ）（ｅ）に示すように、ロック用ピン４１は、フック部材４２のガイド部４３から離れる。ロック用ピン４１がガイド部４３から離れると、捻りバネ４７により、フック部材４２が退避位置から非ロック位置側に戻って、ロック位置に位置するようになり（同図（ｅ）の位置）、ロック用ピン４１がフック部材４２のフック部４４に接して、ロック用ピン４１の前方への移動が拘束される。つまり、ロック用ピン４１が設けられているスライド板は、付勢機構により前方に付勢されているものの、閉角度位置から前方へスライドできない状態になる。
【００２２】
この状態から、スライド板が前方へスライドできるようにするためには、スライド板を僅かに後退させ、同図（ｆ）に示すように、ロック用ピン４１をフック部材４２のフック部４４から離す。ロック用ピン４１がフック部４２から離れると、同図（ｇ）に示すように、捻りバネ４７により、フック部材４２がロック位置から非ロック位置側に僅かに回動する。このフック部材４２の回動により、ロック用ピン４１は、フック部材４２の解放部４５に位置するようになり、フック部材４２によるロック用ピン４１のフックが解除され、同図（ｈ）に示すように、ロック用ピン４１が設けられているスライド板は、付勢機構により前方にスライドする。
【００２３】
次に、表示パネル２０を閉角度の状態から、中間角度、開角度を経て、再び、閉角度に戻す一連の操作について、まとめて説明する。
【００２４】
表示パネル２０が閉角度の際には、図２〜図４に示すように、表示パネル２０は、その背面２４が筐体１０の正面壁１１に対向して、正面壁１１に形成されているＣＤ出入口１２及びＤＶＤ出入口１３を塞いでいる。スコットラッセル機構３１のスライド板３２は、筐体１０の奥に押し込まれている閉角度位置に位置しており、このスライド板３２に固定されているロック用ピン４１は、プッシュロック機構４０のフック部材４２にフックされている。このため、スライド板３２は、付勢機構５０により前方に付勢されているものの、この閉角度位置から前方にスライドできない状態である。言い換えると、表示パネル２０は、閉角度から中間角度に変角できない状態である。
【００２５】
閉角度の表示パネル２０を中間角度に変角させる際には、図３に示すように、表示パネル２０の正面下部に形成されている押込み操作部２２を後方に僅かに押す。この操作により、スコットラッセル機構３１のスライド板３２が僅かに後退して、プッシュロック機構４０が図１２（ｅ）に示すロック状態から、同図（ｆ）に示す状態を経て、スライド板３２に設けられているロック用ピン４１を解放できる状態（同図（ｇ））になる。そして、押込み操作部２２を離すと、スライド板３２が付勢機構５０による付勢力で前方にスライドし、プッシュロック機構４０によるスライド板３２の拘束が完全に解除される。
【００２６】
プッシュロック機構４０によるスライド板３２の拘束が解除されて、付勢機構５０による付勢力でスライド板３２が前方にスライドし始めると、スライド板３２は、緩衝機構５６から抵抗を受ける。この結果、スライド板３２は、一定の速度以下で前方にスライドする。
【００２７】
スライド板３２が中間角度位置に至ると、図７及び図１１に示すように、スライド板３２の板バネ係合孔６３に、筐体１０の底面壁１５に取り付けられている板バネ６１の係合部６２が嵌まり込んで、この中間角度位置で停止する。この結果、表示パネル２０は、図５〜図７に示すように、その表示面２１が傾斜した中間角度になり、筐体１０の正面壁１１に形成されているＣＤ出入口１２を開放する。
【００２８】
以上のように、表示パネル２０が閉角度の状態のときに、表示パネル２０の正面下部に形成されている押込み操作部２２を僅かに押すと、自動的に、表示パネル２０が中間角度になるため、出し入れ頻度の高いＣＤ１を、ＣＤ再生装置に対して極めて簡単に出し入れすることができる。
【００２９】
表示パネル２０を中間角度から開角度にする際には、図５中の矢印Ａの方向、つまり斜め下後方に、表示パネル２０の正面上部を押す。すると、表示パネル２０の正面上部が下方に下がり、スライド板３２が前方にスライドすることで、表示パネル２０の下部が前方に移動して、図８〜図１０に示すように、表示パネル２０は開角度になる。なお、表示パネル２０を中間角度から開角度にする際には、以上のように、図５中の矢印Ａの方向に、表示パネル２０の正面上部を押してもよいが、表示パネル２０の底面と押込み操作部２２との角部を摘んで上方に持ち上げてもよい。この開角度の状態では、表示パネル２０の表示面２１が筐体１０の正面壁１１に対して直角になってＣＤ出入口１２及びＤＶＤ出入口１３を開放する。この結果、ＣＤ再生装置に対してＣＤを出し入れできると共に、ＤＶＤ再生装置に対して、地図情報が記憶され、出し入れ頻度が極めて低いＤＶＤ２も出し入れできるようになる。
【００３０】
この開角度の状態から、中間角度に戻す際には、図８中の矢印Ｃの方向、つまり、下方に、表示パネル２０の押込み操作部２２を押す。すると、スライド板３２とのピン接合位置を中心として、表示パネル２０の正面上部が上方に持ち上がり、表示パネル２０は中間角度になる。
【００３１】
この中間角度の状態から、閉角度に戻す際には、図５中の矢印Ｂの方向、つまり、後方に、表示パネル２０の押込み操作部２２を押す。すると、表示パネル２０の正面下部が後方に後退しつつ、表示パネル２０の正面上部が上方に持ち上がり、表示パネル２０は閉角度になる。なお、表示パネル２０が中間角度の際、スコットラッセル機構３１のスライド板３２の板バネ係合孔６３には、板バネ６１の係合部６２が嵌まり込んでおり、スライド板３２はこの中間角度位置に保持されているが、板バネ６１によるスライド板３２の保持力は、前述したように小さいため、表示パネル２０の手動による操作で変角させて、スライド板３２を僅かではあるが強制的に前方又は後方にスライドさせれば、中間角度位置でのスライド板３２の保持は簡単に解除される。
【００３２】
表示パネル２０が中間角度から閉角度になる際、スコットラッセル機構３１のスライド板３２は、中間角度位置から閉角度位置迄後退する。この過程で、スライド板３２に設けられているロック用ピン４１は、図１２（ａ）に示すように、フック部材４２のガイド部４３に接して、同図（ｂ）（ｃ）に示すように、フック部材４２を退避位置まで回動させた後、同図（ｄ）（ｅ）に示すように、フック部材４２のガイド部４３から離れてフック部４４に接するようになる。この結果、ロック用ピン４１は、フック部材４２により、前方への移動が拘束される。つまり、ロック用ピン４１が設けられているスライド板３２は、付勢機構５０により前方に付勢されているものの、閉角度位置から前方へスライドできない状態に戻る。
【００３３】
以上のように、本実施形態では、表示パネル２０の開閉動作に関しての電動機構を設けていないので、製造コストを抑えることができる上に、筐体１０内のスペースを有効に利用することができる。この一方で、電動機構がないために、電動機構があるものよりも、操作性の点で劣るものの、表示パネル２０が閉角度のときに、表示パネル２０の押込み操作部２２を押すだけで、付勢機構５０により自動的に表示パネル２０が中間角度になり、出し入れ頻度の高いＣＤ１をＣＤ再生装置に対して出し入れできるようになり、表示パネル２０の変角の頻度の高い領域に関して自動化が図られているため、操作性の低下を抑えることができる。
【００３４】
【発明の効果】
本発明によれば、表示パネルの開閉動作に関しての電動機構を設けていないので、製造コストを抑えることができる上に、筐体内のスペースを有効に利用することができる。この一方で、電動機構がないために、電動機構があるものよりも、操作性の点で劣るものの、表示パネルが第１角度のときに、ロック機構によるスライド部材の拘束を解除すれば、付勢部材により、表示パネルは自動的に第２角度に変角するので、操作性の低下を抑えることができる。
【図面の簡単な説明】
【図１】本発明に係る一実施形態における表示装置の要部切り欠き斜視図である。
【図２】本発明に係る一実施形態における表示装置の縦断面図（表示パネルが閉角度）である。
【図３】本発明に係る一実施形態における表示装置の正面図（表示パネルが閉角度）である。
【図４】本発明に係る一実施形態における表示装置の横断面図（表示パネルが閉角度）である。
【図５】本発明に係る一実施形態における表示装置の縦断面図（表示パネルが中間角度）である。
【図６】本発明に係る一実施形態における表示装置の正面図（表示パネルが中間角度）である。
【図７】本発明に係る一実施形態における表示装置の横断面図（表示パネルが中間角度）である。
【図８】本発明に係る一実施形態における表示装置の縦断面図（表示パネルが開角度）である。
【図９】本発明に係る一実施形態における表示装置の正面図（表示パネルが開角度）である。
【図１０】本発明に係る一実施形態における表示装置の横断面図（表示パネルが開角度）である。
【図１１】本発明に係る一実施形態における中間角度保持機構の断面図である。
【図１２】本発明に係る一実施形態におけるプッシュロック機構の動作を示す説明図である。
【符号の説明】
１…ＣＤ、２…ＤＶＤ、１０…筐体、１１…正面壁、１２…ＣＤ出入口、１３…ＤＶＤ出入口、２０…表示パネル、３０…角度変更機構、３１…スコットラッセル機構、３２…スライド板、３３…スライド板本体、３６…スライドアーム部、３８…支持アーム、３９…揺動アーム、４０…プッシュロック機構、４１…ロック用ピン、４２…フック部材、５０…付勢機構、５５…コイルバネ、５６…緩衝機構、６０…中間角度保持機構、６１…板バネ。
【図１】
2004101832.tif 000003
【図２】
2004101832.tif 000004
【図３】
2004101832.tif 000005
【図４】
2004101832.tif 000006
【図５】
2004101832.tif 000007
【図６】
2004101832.tif 000008
【図７】
2004101832.tif 000009
【図８】
2004101832.tif 000010
【図９】
2004101832.tif 000011
【図１０】
2004101832.tif 000012
【図１１】
2004101832.tif 000013
【図１２】
2004101832.tif 000014